(57)【特許請求の範囲】
【請求項１】
所定間隔で建て込まれた中空な金属製四角筒からなる横下地材（１），（１）・・と、これらの横下地材（１），（１）・・を貫通する縦桟（２），（２）・・とからなる建造物用下地構造を構築するに当たって、前記各横下地材（１）において同一方向に並ぶ相対向する２面（１ａ），（１ｂ）に、前記縦桟（２）が挿入される開口（６），（７）をそれぞれ形成するとともに、これらの開口（６），（７）のうち少なくとも一方側に、前記縦桟（２）が位置決めされる嵌合溝（８）と、該開口（６），（７）の少なくとも一方側の口縁を支点として開閉自在とされて前記嵌合溝（８）に位置決めされた縦桟（２）の抜け止めを行う抜け止め片（９）とを設けておき、前記各横下地材（１）の両端を縦向きのランナー（１３），（１３）に設けられた支持金具（１６）に支持した状態で、前記横下地材（１）の途中を縦向きの構造部材（３）の側面に予じめ溶接された固定金具（４）に対して仮止めし、前記縦桟（２）を前記嵌合溝（８）に嵌合位置決めした後、前記抜け止め片（９）により抜け止めを行い、その後、前記横下地材（１）を前記固定金具（４）にボルト等により固着するようにしたことを特徴とする建造物用下地構造の構築方法。
【発明の詳細な説明】
【０００１】
【発明が属する技術分野】
【０００２】
本願発明は、建築物の壁下地あるいは屋根下地等を構成する建造物用下地構造の構築方法に関するものである。
【従来の技術】
【０００３】
近年、壁下地構造として、例えばＨ型鋼からなる構造部材に対して横下地材となる横胴縁を取り付け、該横胴縁に対して板材（例えば、壁材）を縦張り状態で張設する構造のものが採用されることが多くなってきている。
【０００４】
上記壁下地構造の場合、横胴縁はＨ型鋼の側面に対してＬ字状の固定具を介して固定されるのが通例であった。
【発明が解決しようとする課題】
【０００５】
ところが、上記した従来構造の場合、平行に配設される横胴縁相互に関連性がないため、横胴縁における板材張設面を垂直に揃えるには、大変な労力と時間を要していた。
【０００６】
本願発明は、上記の点に鑑みてなされたもので、横下地材の板材張設面の垂直を容易に実現できるようにすることを目的とするものである。
【課題を解決するための手段】
【０００７】
本願発明では、上記課題を解決するための手段として、所定間隔で建て込まれた中空な金属製四角筒からなる横下地材１，１・・と、これらの横下地材１，１・・を貫通する縦桟２，２・・とからなる建造物用下地構造を構築するに当たって、前記各横下地材１において同一方向に並ぶ相対向する２面１ａ，１ｂに、前記縦桟２が挿入される開口６，７をそれぞれ形成するとともに、これらの開口６，７のうち少なくとも一方側に、前記縦桟２が位置決めされる嵌合溝８と、該開口６，７の少なくとも一方側の口縁を支点として開閉自在とされて前記嵌合溝８に位置決めされた縦桟２の抜け止めを行う抜け止め片９とを設けておき、前記各横下地材１の両端を縦向きのランナー１３，１３に設けられた支持金具１６に支持した状態で、前記横下地材１の途中を縦向きの構造部材３の側面に予め溶接された固定金具４に対して仮止めし、前記縦桟２を前記嵌合溝８に嵌合位置決めした後、前記抜け止め片９により抜け止めを行い、その後、前記横下地材１を前記固定金具４にボルト等により固着するようにしている。
【０００８】
上記のようにしたことにより、各横下地材１の両端を縦向きのランナー１３，１３に設けられた支持金具１６に支持した状態で、前記横下地材１の途中を縦向きの構造部材３の側面に予め溶接された固定金具４に対して仮止めし、縦桟２を嵌合溝８に嵌合位置決めし、その後抜け止め片９により抜け止めを行い、その後、前記横下地材１を前記固定金具４にボルト等により固着するだけで、横下地材１，１・・における板材張設面１ｃ，１ｃ・・を垂直に揃えることができる。しかも、横下地材１の途中を縦向きの構造部材３の側面に予め溶接された固定金具４に対して仮止めするようにしたことにより、横下地材１の嵌合溝８への縦桟２の嵌合位置決め作業が容易且つ確実に行える。
【発明の実施の形態】
【０００９】
以下、添付の図面を参照して、本願発明の好適な発明の実施の形態について説明する。
【００１０】
この建造物用下地構造は、壁下地を構成するものであって、図１ないし図３に示すように、所定間隔で建て込まれた中空な金属製四角筒からなる横下地材１，１・・と、該横下地材１，１・・を貫通する中空な金属製四角筒からなる縦桟２，２・・とからなっている。前記横下地材１，１・・は、Ｈ型鋼からなる構造部材３の側面に対して溶接された断面コ字状の固定金具４，４・・を介して取り付けられている。
【００１１】
前記各横下地材１の両端は、Ｈ型鋼からなる構造部材３に対して断面コ字状の中間固定金具１４により固定された四角筒形状のランナー支持柱１５の両側面にビス止めされた縦向きのランナー１３，１３に対してＬ字状の支持金具１６により支持されている。該ランナー１３は、前記ランナー支持柱１５の側面に所定間隔で複数個取り付けられている。
【００１２】
そして、前記各横下地材１における前面１ｃには、ＡＬＣ板等の外壁材からなる壁材５が縦張り状態で張設される。
【００１３】
前記各横下地材１において同一方向に並ぶ相対向する２面（即ち、上下面）１ａ，１ｂには、図４および図５に示すように、前記縦桟２が挿入される開口６，７がそれぞれ形成されており、これらの開口６，７のうち少なくとも一方側（本実施の形態においては、上面１ａ側）には、前記縦桟２が位置決めされる嵌合溝８と、該開口６の口縁を支点として開閉自在とされて前記嵌合溝８に位置決めされた縦桟２の抜け止めを行う抜け止め片９とが設けられている。該抜け止め片９は、開口６の口縁において閉止状態において縦桟２との間に若干の隙間が形成される位置に形成される。また、この抜け止め片９の基部には、該抜け止め片９の開閉を容易ならしめるための長穴１２，１２が形成されている。なお、本実施の形態においては、この嵌合溝８は、前記開口６，７の両方に形成されているが、一方の開口のみに形成してもよい。また、前記抜け止め片９は、開口７（あるいは、開口６，７の両方）に形成してもよい。
【００１４】
前記嵌合溝８の両側には、前記縦桟２の側壁との圧接力を高める突部１０，１０および１１，１１が相対向して形成されている。該突部１０，１０および１１，１１は、縦桟２の嵌合がし易いように嵌合方向に傾斜されており、嵌合位置決めされた状態においては、縦桟２の側壁に対しては突部１０，１０および１１，１１の先端の圧接力により縦桟２の位置決めが行われることとなっている。従って、突部１０，１０および１０，１０、による面圧が高く保持できることとなり、縦桟２を嵌合溝８に嵌合位置決めしたときの拘束力が向上し、より強固な下地構造が得られる。
【００１５】
上記のように構成された建造物用下地構造は、次の手順で構築される。
【００１６】
各横下地材１の両端を縦向きのランナー１３，１３に支持した状態で、Ｈ型鋼からなる構造部材３の側面に予め溶接された固定金具４，４・・に対して横下地材１，１・・を仮止めしておき、その状態の横下地材１，１・・の開口６，７に対して、下面１ｂ側から縦桟２を挿入する。すると、抜け止め片９は縦桟２に押されて外方に開かれる。しかる後、縦桟２を嵌合溝８に嵌合位置決めさせた後、抜け止め片９を復帰させると、横下地材１，１・・の板材張設面となる前面１ｃが垂直に揃うこととなる。そこで、横下地材１，１・・を前記固定金具４，４・・にボルト等により固着すると、下地構造が完成する。その後、横下地材１，１・・の前面１ｃ，１ｃ・・に対して壁材５が張設される。
【００１７】
上記したように、本実施の形態においては、各横下地材１の両端を縦向きのランナー１３，１３に支持した状態で、横下地材１，１・・に形成された開口６，７に対して縦桟２を挿入した後、該開口６の嵌合溝８に縦桟２を嵌合位置決めし、その後抜け止め片９により抜け止めを行うだけで、横下地材１，１・・における板材張設面（即ち、前面１ｃ，１ｃ・・）を垂直に揃えることができることとなり、強固な下地構造を簡単に実現することができる。
【００１８】
上記実施の形態においては、壁下地構造についてのみ説明したが、本願発明は、屋根下地構造にも適用可能なことは勿論である。
【００１９】
上記実施の形態においては、縦桟として四角筒形状の部材を採用しているが、その他の形状のものを採用することもできる。
【発明の効果】
【００２０】
請求項１の発明によれば、所定間隔で建て込まれた中空な金属製四角筒からなる横下地材１，１・・と、これらの横下地材１，１・・を貫通する縦桟２，２・・とからなる建造物用下地構造を構築するに当たって、前記各横下地材１において同一方向に並ぶ相対向する２面１ａ，１ｂに、前記縦桟２が挿入される開口６，７をそれぞれ形成するとともに、これらの開口６，７のうち少なくとも一方側に、前記縦桟２が位置決めされる嵌合溝８と、該開口６，７の少なくとも一方側の口縁を支点として開閉自在とされて前記嵌合溝８に位置決めされた縦桟２の抜け止めを行う抜け止め片９とを設けておき、前記各横下地材１の両端を縦向きのランナー１３，１３に設けられた支持金具１６に支持した状態で、前記横下地材１の途中を縦向きの構造部材３の側面に予め溶接された固定金具４に対して仮止めし、前記縦桟２を前記嵌合溝８に嵌合位置決めした後、前記抜け止め片９により抜け止めを行い、その後、前記横下地材１を前記固定金具４にボルト等により固着するようにしているので、各横下地材１の両端を縦向きのランナー１３，１３に設けられた支持金具１６に支持した状態で、前記横下地材１の途中を縦向きの構造部材３の側面に予め溶接された固定金具４に対して仮止めし、縦桟２を嵌合溝８に嵌合位置決めし、その後抜け止め片９により抜け止めを行い、その後、前記横下地材１を前記固定金具４にボルト等により固着するだけで、横下地材１，１・・における板材張設面１ｃ，１ｃ・・を垂直に揃えることができることとなり、強固な下地構造を簡単に実現することができるという効果がある。しかも、横下地材１の途中を縦向きの構造部材３の側面に予め溶接された固定金具４に対して仮止めするようにしたことにより、横下地材１の嵌合溝８への縦桟２の嵌合位置決め作業が容易且つ確実に行えるという効果もある。
【図面の簡単な説明】
【図１】  本願発明の実施の形態にかかる建造物用下地構造の正面図である。
【図２】  本願発明の実施の形態にかかる建造物用下地構造の要部を示す斜視図である。
【図３】  本願発明の実施の形態にかかる建造物用下地構造の縦断面図である。
【図４】  本願発明の実施の形態にかかる建造物用下地構造の要部を示す拡大斜視図である。
【図５】  本願発明の実施の形態にかかる建造物用下地構造の要部を示し、（イ）は上面図、（ロ）は下面図である。
【符号の説明】
１は横下地材、１ａは上面、１ｂは下面、１ｃは前面、２は縦桟、３は構造部材、４は固定金具、５は壁材、６，７は開口、８は嵌合溝、９は抜け止め片、１３はランナー、１６は支持金具。
【図１】
0004317637.tif 000002
【図２】
0004317637.tif 000003
【図３】
0004317637.tif 000004
【図４】
0004317637.tif 000005
【図５】
0004317637.tif 000006